(57)【要約】【課題】画像情報の消失を抑制して再撮影の頻度を低減し、被写体への不要な放射線照射を抑制する。【解決手段】放射線画像の撮影装置であって、外部機器と通信する通信部と、外部機器との通信状態を検出する検出部と、通信状態を判定する判定部と、判定部により通信状態が不良であると判定された場合、揮発性メモリに格納されている画像データを不揮発性メモリへ移動する制御部とを備える。【選択図】  図６
2015198787.tif 000002
【特許請求の範囲】
【請求項１】
放射線画像の撮影装置であって、
外部機器と通信する通信手段と、
前記外部機器との通信状態を検出する検出手段と、
前記通信状態を判定する判定手段と、
前記判定手段により通信状態が不良であると判定された場合、揮発性メモリに格納されている画像データを不揮発性メモリへ移動する制御手段と、
を備えることを特徴とする撮影装置。
【請求項２】
前記撮影装置の電源を制御する電源制御手段をさらに備え、
前記電源制御手段は、前記揮発性メモリに格納されている前記画像データの前記外部機器への転送が未完である場合に、前記電源をオフにすることを禁止することを特徴とする請求項１に記載の撮影装置。
【請求項３】
前記電源制御手段は、前記電源のオン／オフを制御する電源ボタンが押下された場合でも、電源供給の遮断信号を送信しないように制御することにより、前記電源をオフにすることを禁止することを特徴とする請求項２に記載の撮影装置。
【請求項４】
前記検出手段は、前記外部機器との間の通信強度または通信速度の少なくとも何れか一方を検出することを特徴とする請求項１乃至３の何れか１項に記載の撮影装置。
【請求項５】
前記判定手段は、前記通信強度と所定値との比較または前記通信速度と所定値との比較に基づいて前記通信状態を判定することを特徴とする請求項４に記載の撮影装置。
【請求項６】
前記検出手段は、前記外部機器から送出された前記画像データの再送要求を検出することを特徴とする請求項１乃至５の何れか１項に記載の撮影装置。
【請求項７】
前記外部機器から送出された前記画像データの再送要求の回数をカウントするカウント手段をさらに備え、
前記判定手段は、前記再送要求の回数に基づいて前記通信状態を判定することを特徴とする請求項６に記載の撮影装置。
【請求項８】
前記検出手段は、前記外部機器と通信中であることを検出することを特徴とする請求項１乃至７の何れか１項に記載の撮影装置。
【請求項９】
前記撮影装置の電源を制御する電源制御手段をさらに備え、
前記電源制御手段は、前記通信中であることが検出されている場合、前記電源をオフにすることを禁止することを特徴とする請求項８に記載の撮影装置。
【請求項１０】
前記検出手段は、前記画像データの前記外部機器への転送が完了したことを検出することを特徴とする請求項１乃至９の何れか１項に記載の撮影装置。
【請求項１１】
前記検出手段は、前記画像データの前記揮発性メモリから前記外部機器への転送が完了した場合に送信済みフラグを立てることを特徴とする請求項１０に記載の撮影装置。
【請求項１２】
前記撮影装置の電源を制御する電源制御手段をさらに備え、
前記電源制御手段は、前記送信済みフラグが立っていない場合、前記電源をオフにすることを禁止することを特徴とする請求項１１に記載の撮影装置。
【請求項１３】
前記通信手段は、前記通信状態が不良の状態から良好の状態へ回復した場合、前記不揮発性メモリへ移動された画像データを前記外部機器へ転送することを特徴とする請求項１乃至１２の何れか１項に記載の撮影装置。
【請求項１４】
前記通信手段は、前記不揮発性メモリへ移動された画像データを前記外部機器へ転送する指示を前記外部機器から受信したことに応じて転送を行うことを特徴とする請求項１３に記載の撮影装置。
【請求項１５】
前記通信手段が前記外部機器と有線接続されている場合、前記通信手段は、前記指示に関わらず前記転送を行うことを特徴とする請求項１４に記載の撮影装置。
【請求項１６】
前記撮影装置の電源を制御する電源制御手段をさらに備え、
前記電源制御手段は、前記揮発性メモリに格納されている前記画像データが前記不揮発性メモリへ移動された後に、前記電源のオフを許可することを特徴とする請求項１乃至１５の何れか１項に記載の撮影装置。
【請求項１７】
前記制御手段は、前記揮発性メモリに格納されている前記画像データが前記不揮発性メモリへ移動された後に、次の撮影を許可することを特徴とする請求項１乃至１６の何れか１項に記載の撮影装置。
【請求項１８】
前記制御手段は、前記判定手段により撮影前に前記通信状態が不良であると判定されている場合、前記通信状態が良好になったと判定されるまで撮影を禁止することを特徴とする請求項１乃至１７の何れか１項に記載の撮影装置。
【請求項１９】
放射線画像の撮影装置であって、
揮発性メモリに格納されている画像データを外部機器へ転送する通信手段と、
前記外部機器への転送が未完である場合に、前記揮発性メモリに対する電力供給を停止させることを禁止する電源制御手段と、
を備えることを特徴とする撮影装置。
【請求項２０】
放射線画像の撮影装置であって、
揮発性メモリに格納されている画像データを外部機器へ転送する通信手段と、
所定の指示に応じて前記揮発メモリに対する電力の供給を停止させる制御を行う電力制御手段と、
前記外部機器への転送が完了したか否かを判定する判定手段と、を有し、
前記電力制御手段は、前記外部機器への転送が未完であると判定された場合に、前記所定の指示に応じては前記停止させる制御を行わせない
ことを特徴とする撮影装置。
【請求項２１】
放射線画像の撮影装置であって、
放射線センサにより得られる放射線画像データを不揮発性メモリに記憶させる記憶制御手段と、
不揮発性メモリに記憶される前記放射線画像データを外部機器へ転送する通信手段と、
前記放射線画像データの前記外部機器への転送が完了したか否かを判定する判定手段と、を有し、
前記記憶制御手段は、少なくとも前記転送が完了したと判定されるまでは前記画像データを前記不揮発性メモリに保持し、前記転送が完了したと判定された場合に前記放射線画像データを前記不揮発性メモリから削除することを特徴とする撮影装置。
【請求項２２】
放射線画像の撮影装置の制御方法であって、
通信手段が、外部機器と通信する工程と、
検出手段が、前記外部機器との通信状態を検出する工程と、
判定手段が、前記通信状態を判定する工程と、
制御手段が、前記通信状態が不良であると判定された場合、揮発性メモリに格納されている画像データを不揮発性メモリへ移動する工程と、
を有することを特徴とする撮影装置の制御方法。
【請求項２３】
放射線画像の撮影装置の制御方法であって、
通信手段が、揮発性メモリに格納されている画像データを外部機器へ転送する工程と、
電源制御手段が、前記外部機器への転送が未完である場合に、前記揮発性メモリに対する電力供給を停止させることを禁止する工程と、
を有することを特徴とする撮影装置の制御方法。
【請求項２４】
請求項２２または２３に記載の撮影装置の制御方法の各工程をコンピュータに実行させるためのプログラム。
【発明の詳細な説明】
【技術分野】
【０００１】
本発明は、撮影装置、撮影装置の制御方法及びプログラムに関する。
【背景技術】
【０００２】
近年、医療の現場では、被写体に放射線を照射し、透過した放射線を検出して電気エネルギーに変換し、放射線画像情報を取得するＦＰＤ（Ｆｌａｔ Ｐａｎｅｌ Ｄｅｔｅｃｔｏｒ）が広く使用されている。可搬性を目的としたカセッテ式のＦＰＤには、画像情報や患者情報を記録するためのメモリおよび電池が内蔵されており、ワイヤレスタイプのものが普及している。メモリとしては、画像情報の書き込みスピードが速いことや、書き換え回数に上限が無いことから、揮発性メモリが使用されている。しかし、電池残量がゼロになったり、万が一電池が抜かれてしまったりした場合に、揮発性メモリへの電源供給が遮断されて画像情報が消失し、患者に不要な放射線を再度照射する必要が生じる。
【０００３】
これに対して、特許文献１では、電池残量を監視している制御部が、電池残量が少ないと判断した場合には揮発性メモリ内のデータを不揮発性メモリへ送信するか否かを決定することが開示されている。
【先行技術文献】
【特許文献】
【０００４】
【特許文献１】特開２００６−２５０７２７号公報
【発明の概要】
【発明が解決しようとする課題】
【０００５】
しかしながら、撮影装置と外部機器との通信不良の際に操作者が撮影装置の故障を疑って再起動を行うことが起こりうる。特許文献１に記載の技術では、通信不良時の再起動により撮影装置内に保存されている未転送の画像情報が消失し、再度撮影しなければならなくなり、患者に本来不要な放射線を照射することになってしまう。
【０００６】
上記の課題に鑑み、本発明は、画像情報の消失を抑制して再撮影の頻度を低減し、被写体への不要な放射線照射を抑制することを目的とする。
【課題を解決するための手段】
【０００７】
上記の目的を達成する本発明に係る撮影装置は、
放射線画像の撮影装置であって、
外部機器と通信する通信手段と、
前記外部機器との通信状態を検出する検出手段と、
前記通信状態を判定する判定手段と、
前記判定手段により通信状態が不良であると判定された場合、揮発性メモリに格納されている画像データを不揮発性メモリへ移動する制御手段と、
を備えることを特徴とする。
【発明の効果】
【０００８】
本発明によれば、画像情報の消失を抑制して再撮影の頻度を低減し、被写体への不要な放射線照射を抑制することが可能となる。
【図面の簡単な説明】
【０００９】
【図１】本発明の一実施形態に係る放射線撮影システムの構成例を示す図。
【図２】本発明の一実施形態に係る撮影装置の外観図。
【図３】本発明の一実施形態に係る撮影装置の内部構成図。
【図４Ａ】本発明の一実施形態に係る処理の内容の説明図。
【図４Ｂ】本発明の一実施形態に係る処理の内容の説明図。
【図５Ａ】本発明の一実施形態に係る制御回路および電源制御回路の内部構成図。
【図５Ｂ】本発明の一実施形態に係る各部の処理シーケンスを示す図。
【図６】本発明の第１実施形態に係る撮影装置が実施する処理の手順を示すフローチャート。
【図７Ａ】本発明の一実施形態に係る処理内容の説明図。
【図７Ｂ】本発明の一実施形態に係る処理内容の説明図。
【図８】本発明の第２実施形態に係る撮影装置が実施する処理の手順を示すフローチャート。
【図９】本発明の第３実施形態に係る撮影装置が実施する処理の手順を示すフローチャート。
【図１０】本発明の第４実施形態に係る撮影装置が実施する処理の手順を示すフローチャート。
【発明を実施するための形態】
【００１０】
以下、添付の図面を参照しながら、本発明の実施の形態について説明する。
【００１１】
（第１実施形態）
＜１．放射線撮影システムの全体構成＞
図１は、本発明の一実施形態に係る放射線撮影システムの構成例を示す図である。放射線撮影システムは、病院内に広がるネットワークである院内ＬＡＮ１００と、撮影装置１０１と、電子計算機１０２と、アクセスポイント１０３と、ＨＵＢ１０４と、Ｘ線インタフェースボックス１０５と、放射線発生装置１０６とを有する。
【００１２】
撮影装置１０１は、放射線発生装置１０６から被写体１０７へ照射されて当該被写体１０７を透過した放射線を検出して放射線画像を生成する。電子計算機１０２は、撮影装置１０１により撮影された放射線画像を表示部に表示させたり、撮影状態の指示などを行うために使用される。アクセスポイント１０３は、撮影装置１０１との通信に用いられる。
【００１３】
ＨＵＢ１０４は、電子計算機１０２、アクセスポイント１０３、Ｘ線インタフェースボックス１０５を接続する。Ｘ線インタフェースボックス１０５は、通信を媒介する回路を有し、撮影装置１０１及び放射線発生装置１０６の状態を監視して、放射線の照射・撮影を制御する。放射線発生装置１０６は、放射線を発生させるために電子を高電圧で加速し、陽極に衝突させるＸ線管とロータとを保持している。
【００１４】
＜２．撮影装置の構成＞
次に、図２及び図３を参照して、本発明の一実施形態に係る撮影装置１０１の構成例を説明する。図２は撮影装置１０１の外観の一例を示し、図３は撮影装置１０１の内部構成の一例を示している。なお、本実施形態では撮影装置１０１について説明を行うが、本発明は撮影装置１０１のうちセンサを除いた制御ユニットを一つの装置として実現することが可能である。
【００１５】
図２に示すように、撮影装置１０１は、例えば可搬型のカセッテ式フラットパネルディスク（ＦＰＤ）である。撮影装置１０１は、電源ボタン１０８、バッテリ１０９、コネクタ接続部１１０を有する。本体の電源のオン／オフを制御する電源ボタン１０８は、放射線入射側を表面にした場合（左図）、側面部に設けられている。また、裏面（右図）にはバッテリ１０９を取り付けるための取り付け部１２６が設けられている。取り付け部１２６の内部側面は、バッテリ１０９と接続するための端子と、バッテリ１０９を固定するためのロック機構とを有している。
【００１６】
バッテリ１０９本体は不図示のバッテリ専用充電器によって充電される。バッテリ１０９と撮影装置１０１とを接続するための端子部分にバッテリ１０９の凸部分を差し込むことにより取り付けが可能である。また撮影装置１０１のコネクタ接続部１１０と接続されるセンサケーブル１１１を通じて外部電源１１２からの給電が可能である。
【００１７】
コネクタ接続部１１０とセンサケーブル１１１との接続は、コネクタ接続部１１０に吸着板を設け、センサケーブル１１１側に磁石を備え付けることで実現される。また、センサケーブル１１１と電子計算機１０２とを有線で接続するように構成してもよい。
【００１８】
次に、図３に示すように、撮影装置１０１は、制御回路２０1と、電源制御回路２０２と、ドライブＩＣ（Ｉｎｔｅｇｒａｔｅｄ Ｃｉｒｃｕｉｔ）２０３と、アンプＩＣ２０４と、ＡＤＣ（Ａｎａｌｏｇ-ｔｏ-Ｄｉｇｉｔａｌ  Ｃｉｒｃｕｉｔ）２０５と、通信部２０６と、メモリ部２０７とを備えている。メモリ部２０７は、揮発性メモリ２０７１と不揮発性メモリ２０７２とを含む。
【００１９】
まず不図示の蛍光体が、放射線発生装置１０６から照射された放射線を、光電変換素子によって光を電気エネルギーに変換して電気的に蓄積する。次にドライブＩＣ２０３によってラインが選択され、ガラス基板上にアモルファスシリコンなどで構成されたスイッチング機能を有する薄型トランジスタ（ＴＦＴ；Ｔｈｉｎ Ｆｉｌｍ Ｔｒａｎｓｉｓｔｏｒ）が順次ＯＮにされて、横方向の１ラインが全てＯＮにされると、各画素回路に接続されている信号線を介して蓄積された電荷が出力される。これをアンプＩＣ２０４によって順次読み出す。読み出されたアナログデータを、ＡＤＣ２０５を用いて、デジタルデータに変換する。制御回路２０１は、ＡＤＣ２０５から出力されたデジタルデータをメモリ部２０７の揮発性メモリ２０７１に一時保存する。
【００２０】
また、通信部２０６は、無線により電子計算機１０２およびＸ線インタフェースボックス１０５と通信する。なお、Ｘ線インタフェースボックス１０５および電子計算機１０２と通信は、コネクタ接続部１１０およびセンサケーブル１１１を介した有線接続であってもよい。また、電源制御回路３は、バッテリ１０９および外部電源１１２と接続されており、それぞれからの電源供給の制御や、各部への電源の供給、電池残量の監視を行なう。
【００２１】
図４Ａは、本発明の一実施形態に係る処理（通信状態が不良である場合に揮発性メモリ内の情報を不揮発性メモリへ移動する際の処理）の説明図である。
【００２２】
図４Ａにおいて、撮影装置１０１の放射線センサにより得られた放射線画像データ４０１は、記憶制御部（不図示）により撮影装置１０１内部の揮発性メモリ２０７１に一度保存され、その画像データ４０１を電子計算機１０２に転送することで、表示やその後の処理が実行される。撮影装置１０１の内部で不揮発性メモリ２０７２ではなく、揮発性メモリ２０７１に一時保存する理由としては、不揮発性メモリ２０７２と比較して揮発性メモリ２０７１の方が動作スピードが速いため、画像データの保存速度が速いからである。また、不揮発性メモリ２０７２は、書き換え回数に上限があり、繰り返し撮影し、保存していく動作の回数に制限が設けられてしまうためでもある。これに関して、撮影装置１０１から画像データ４０１を転送中に通信状態不良が生じた際、撮影装置１０１内部の揮発性メモリ２０７１に保存されている画像データ４０１を、同じく撮影装置１０１内部の不揮発性メモリ２０７２へ転送することで、画像データ４０１の消失を防止する。
【００２３】
図４Ｂは、本発明の一実施形態に係る処理（外部機器への画像情報の転送処理が未完である場合に、電源の遮断を不可能にする制御する処理）の説明図である。
【００２４】
図４Ｂにおいて、撮影装置１０１が画像データ４０１を電子計算機１０２へ転送している間（転送が未完の間）は、撮影装置１０１の電源が遮断されないように制御する。すなわち、転送が未完である場合、あるいは転送が未完の画像がある場合には、転送が完了されるまで、あるいは、未転送の画像がなくなるまで）、電源オフを禁止する。電源制御回路２０２の電源制御部は、電源ボタン１０８が押下されたとしても、電源に対して撮影装置１０１への電源供給の遮断信号を送信しないように制御することで、電源をオフにすることを不可能とし、電源供給の遮断による画像データ４０１の消失を低減する。なお、電源オフとは、撮影装置全体の電源をオフする場合に限定されず、揮発メモリに対する電力供給を停止させる制御であってもよい。
【００２５】
これら図４Ａ及び図４Ｂの双方の処理を行なうことで、より画像データ４０１の消失のリスクを低減することが可能となる。
【００２６】
＜３．制御回路および電源制御回路の内部構成および処理シーケンス＞
次に、図５Ａおよび図５Ｂを参照して、本発明の一実施形態に係る制御回路２０１および電源制御回路２０２の内部構成、および図５Ａの構成を有する各部の処理シーケンスについて説明する。制御回路２０１は、制御部２０１０と、判定部２０１１と、カウント部２０１２と、通信状態検出部２０１３とを備えている。電源制御回路２０２は、電源２０２１と、電源制御部２０２２とを備えている。電子計算機１０２は通信部２０６を介して揮発性メモリ２０７１から画像データを受信する（Ｆ５０１〜Ｆ５０３）。
【００２７】
通信状態検出部２０１３は、通信状態や画像データの転送状態などの情報を検出している（Ｆ５０４〜Ｆ５０９）。通信状態検出部２０１３は、通信強度および通信速度等の通信情報、画像データを転送中であるものの電子計算機１０２への転送が完了していない場合に電子計算機１０２から送出される再送要求の回数、画像データの転送が完了したか否か、現在通信中であるか否か等を検出している。
【００２８】
判定部２０１１は、通信状態検出部２０１３により検出された通信強度および通信速度と所定値とを比較し、所定値以下である場合に通信状態が不良であると判定する（Ｆ５１０〜Ｆ５１１）。制御部２０１０はメモリ部２０７へアクセスし、揮発性メモリ２０７１に保存されている画像データ４０１を不揮発性メモリ２０７２へ転送する処理を行う（Ｆ５１５〜Ｆ５１６）。
【００２９】
また、電子計算機１０２から通信部２０６を介して再送要求が送出された場合、通信状態検出部２０１３は再送要求を検出する。通信状態検出部２０１３が再送要求を検出すると、カウント部２０１２が再送要求の回数をカウントする（Ｆ５１２）。判定部２０１１は再送要求の回数と所定の回数とを比較し、所定の回数以上である場合に通信状態が不良であると判定する。通信状態が不良であると判定部２０１１が判定した場合、判定部２０１１は制御部２０１０へ判定結果を出力する（Ｆ５１３〜Ｆ５１４）。制御部２０１０はメモリ部２０７へアクセスし、揮発性メモリ２０７１に保存されている画像データ４０１を不揮発性メモリ２０７２へ転送する処理を行う（Ｆ５１７〜Ｆ５１８）。
【００３０】
また、通信部２０６が電子計算機１０２に画像データ４０１を転送中である場合、すなわち現在通信中である場合、通信状態検出部２０１３は現在通信中であることを検出し、その際には電源制御部２０２２は電源２０２１の遮断を不可能とするように制御する（Ｆ５１９〜Ｆ５２１）。
【００３１】
また、電子計算機１０２への画像データ４０１の転送が完了した際には、通信部２０６を介して通信状態検出部２０１３が転送完了を検出し、不図示の送信済みフラグを立てる。
【００３２】
送信済みフラグが立っている場合、電源制御部２０２２は電源２０２１に対して電源の遮断を許可するが、送信済みフラグが立っていない場合（Ｆ５２２）、全画像データ４０１を転送済みではないため、画像データ４０１を保護するために、電源制御部２０２２は、電源ボタン１０８が押下されたとしても、電源２０２１に対して撮影装置１０１への電源供給の遮断信号を送信しない（Ｆ５２３）。これにより電源２０２１をオフにすることを不可能とし、電源供給の遮断による画像データ４０１の消失の可能性を低減する。
【００３３】
＜４．撮影装置１０１が実施する処理手順＞
図６のフローチャートを参照して、本発明の第１実施形態に係る撮影装置１０１が実施する処理手順について説明する。
【００３４】
Ｓ６０１において、制御部２０１０は、撮影装置１０１により撮影されて揮発性メモリ２０７１に一時保存された画像データ４０１について電子計算機１０２への転送を開始する。
【００３５】
Ｓ６０２において、電源制御部２０２２は、送信済みフラグが立っているか否かに基づいて、揮発性メモリ２０７１内の画像データ４０１が全て電子計算機１０２へ転送されているか否かを判定する。未転送の画像データ４０１があると判定された場合（Ｓ６０２；Ｙｅｓ）、Ｓ６０３へ進む。一方、未転送の画像データ４０１がないと判定された場合（Ｓ６０２；Ｎｏ）、Ｓ６０６へ進む。
【００３６】
Ｓ６０３において、電源制御部２０２２は、たとえ電源ボタン１０８が押下されたとしても、電源２０２１に対して、撮影装置１０１への電源供給の遮断信号を送信しないことにより、電源２０２１をオフにするのを禁止する。
【００３７】
Ｓ６０４において、判定部２０１１は、通信状態検出部２０１３によって検出された結果に基づいて通信状態が不良であるか否かを判定する。通信状態が良好であると判定された場合（Ｓ６０４；Ｙｅｓ）、Ｓ６０２に戻り、電源制御部２０２２は、送信済みフラグが立っているか否かに基づいて、揮発性メモリ２０７１内の画像データ４０１が全て電子計算機１０２へ転送されているか否かを判定する。一方、通信状態が不良であると判定された場合（Ｓ６０４；Ｎｏ）、Ｓ６０５へ進む。
【００３８】
Ｓ６０５において、制御部２０１０は、画像データ４０１を揮発性メモリ２０７１から不揮発性メモリ２０７２へ転送する。
【００３９】
その後、Ｓ６０６において、電源制御部２０２２は、電源２０２１に対して電源を遮断することを許可する。
【００４０】
以上の処理を行うことで、揮発性メモリ２０７１内に未転送の画像データがある場合に電源の遮断が不可能となり、通信状態が不良の場合には、電子計算機１０２への転送が困難であるため、不揮発性メモリ２０７２に転送することで、画像データ４０１を消失するリスクを低減することが可能となる。また、電源遮断が不可能な状態が継続することは使用上問題があるため、電子計算機１０２もしくは不揮発性メモリ２０７２への転送が完了した場合には、電源の遮断を可能とする。
【００４１】
ここで図７Ａを参照して、Ｓ６０２の処理内容を細分化して示す。Ｓ６０２において、通信部２０６が現在通信中でないことを通信状態検出部２０１３が検出した場合、または送信済みフラグが立ったことを検出した場合に、電源制御部２０２２が電源２０２１に対して電源の遮断を許可するＳ６０６の処理へと進む。
【００４２】
同様に図７Ｂを参照して、Ｓ６０４の処理内容を細分化して示す。Ｓ６０４における通信状態の判定処理では、判定部２０１１が、通信状態検出部２０１３により検出された、通信強度および通信速度を所定の値と比較することにより、通信強度が所定の値を下回るか、通信速度が所定の値を下回るかを判定したり、あるいは、カウント部２０１２によりカウントされた再送要求回数を所定の回数と比較することにより、再送要求回数が所定の回数を上回るかを判定し、これらのどれか一つが当てはまった場合、通信状態が不良と判定する。
【００４３】
また、以上説明した実施形態において、例えばバッテリ１０９の残量が少なくなってしまった場合、そのまま使用し続けるとしばらくして電源が遮断されてしまい、揮発性メモリ２０７１に保存されている画像データ４０１は消失してしまう。このような状況を回避するために、電池の残量を監視している電源制御回路２０２の情報を制御回路２０１が取得し、バッテリ残量が所定値以下（例えば、全容量の５％以下）になった場合に、制御部２０１０が揮発性メモリ２０７１内の画像データ４０１を不揮発性メモリ２０７２へ転送するようにしてもよい。
【００４４】
（第２実施形態）
第２実施形態では、第１実施形態の処理に加えて、未転送の画像データがある場合にさらに次の撮影が不可能な状態に制御する例を説明する。
【００４５】
図８のフローチャートを参照して、本発明の第２実施形態に係る撮影装置１０１が実施する処理の手順を説明する。なお、放射線撮影システムの構成や撮影装置１０１の構成は第１実施形態と同様であるため、各部の詳細な説明については省略する。
【００４６】
Ｓ８０１において、制御部２０１０は、撮影装置１０１により撮影されて揮発性メモリ２０７１に一時保存された画像データ４０１について、電子計算機１０２への転送を開始する。
【００４７】
Ｓ８０２において、電源制御部２０２２は、送信済みフラグが立っているか否かに基づいて、揮発性メモリ２０７１内の画像データ４０１が全て電子計算機１０２へ転送されているか否かを判定する。未転送の画像データ４０１があると判定された場合（Ｓ８０２；Ｙｅｓ）、Ｓ８０３へ進む。一方、未転送の画像データ４０１がないと判定された場合（Ｓ８０２；Ｎｏ）、Ｓ８０６へ進む。
【００４８】
Ｓ８０３において、電源制御部２０２２は、たとえ電源ボタン１０８が押下されたとしても、電源２０２１に対して、撮影装置１０１への電源供給の遮断信号を送信しないことにより、電源２０２１をオフにするのを禁止する。また制御回路２０１が、ドライブＩＣ２０３を駆動させないことで、次の撮影に移ることも不可とする。
【００４９】
Ｓ８０４において、判定部２０１１は、通信状態検出部２０１３によって検出された結果に基づいて通信状態が不良であるか否かを判定する。通信状態が良好であると判定された場合（Ｓ８０４；Ｙｅｓ）、Ｓ８０２に戻り、電源制御部２０２２は、送信済みフラグが立っているか否かに基づいて、揮発性メモリ２０７１内の画像データ４０１が全て電子計算機１０２へ転送されているか否かを判定する。一方、通信状態が不良であると判定された場合（Ｓ８０４；Ｎｏ）、Ｓ８０５へ進む。
【００５０】
Ｓ６０５において、制御部２０１０は、画像データ４０１を揮発性メモリ２０７１から不揮発性メモリ２０７２へ転送する。その後、Ｓ６０６において、電源制御部２０２２は、電源２０２１に対して電源を遮断することを許可する。また、制御回路２０１が、ドライブＩＣ２０３を駆動させることで、次の撮影に移ることも可能とする。
【００５１】
以上説明したように、本実施形態によれば、電源遮断が不可な状態に制御し、不揮発性メモリ２０７２によって画像データ４０１を保護することに加えて、次の撮影が不可能な状態に制御する。これにより、前の撮影で生成された画像データ４０１が未転送の間に、次の撮影が行なわれてデータが上書きされてしまい、前の画像データを消失してしまうリスクを低減することが可能となる。
【００５２】
（第３実施形態）
第３実施形態では、不揮発性メモリの画像データを外部機器へ転送する例を説明する。図９のフローチャートを参照して、本発明の第３実施形態に係る撮影装置１０１が実施する処理の手順を説明する。なお、放射線撮影システムの構成や撮影装置１０１の構成は第１実施形態と同様であるため、各部の詳細な説明については省略する。また、フローチャートの処理のうち既に説明した内容と同様の処理についても説明を省略する。Ｓ９０１−Ｓ９０６の各処理は、図８のＳ８０１−Ｓ８０６の各処理と同様である。またＳ９０７の処理はＳ８０６の処理と同様である。
【００５３】
Ｓ９０８において、制御部２０１０は、不揮発性メモリ２０７２に格納された画像データ４０１を電子計算機１０２へ転送するか否かを判定する。具体的には、電子計算機１０２から転送指示を受信した場合に画像データ４０１を転送すると判定する。転送指示は電子計算機１０２を操作したユーザからの入力に基づいて行われてもよいし、撮影装置１０１に転送指示ボタンを設けて、当該転送指示ボタンをユーザが押下することにより行われてもよい。画像データ４０１を転送すると判定された場合（Ｓ９０８；Ｙｅｓ）、Ｓ９０９へ進む。一方、画像データ４０１を転送しないと判定された場合（Ｓ９０８；Ｎｏ）、Ｓ９１０へ進む。
【００５４】
Ｓ９０９において、判定部２０１１は、通信状態検出部２０１３により検出された結果に基づいて通信状態が良好な状態に回復したか否かを判定する。通信状態が回復したと判定された場合（Ｓ９０９；Ｙｅｓ）、Ｓ９１１へ進む。一方、通信状態が回復していないと判定された場合（Ｓ９０８；Ｎｏ）、Ｓ９０８に戻る。
【００５５】
Ｓ９１０において、制御部２０１０は、次の指示待つ。Ｓ９１１において、制御部２０１０は、不揮発性メモリ２０７２内の画像データ４０１を電子計算機１０２へ転送する。
【００５６】
以上で図９のフローチャートの各処理が終了する。なお、Ｓ９０８において、仮にコネクタ接続部１１０にセンサケーブル１１１が接続されて外部機器と有線接続を行なう場合には、制御部２０１０は、不揮発性メモリ２０７２内の画像データ４０１を自動で電子計算機１０２へ転送するように構成してもよい。なお、転送が完了した場合には放射線画像データを不揮発性メモリから削除するように構成してもよい。
【００５７】
以上説明したように、本実施形態では通信状態が不良になり揮発性メモリから不揮発性メモリに転送された画像データを、通信状態の回復に伴い電子計算機へ転送する。これにより、ユーザは電子計算機を通じて画像データを取得することができ、当該画像データを表示して確認することができる。
【００５８】
（第４実施形態）
第４実施形態では、撮影前に通信状態を検出し、通信状態が不良であることを検出した際には撮影を不可能とする例を説明する。図１０のフローチャートを参照して、本発明の第４実施形態に係る撮影装置１０１が実施する処理の手順を説明する。なお、放射線撮影システムの構成や撮影装置１０１の構成は第１実施形態と同様であるため、各部の詳細な説明については省略する。また、フローチャートの処理のうち既に説明した内容と同様の処理についても説明を省略する。
【００５９】
Ｓ１００１において、制御部２０１０は、Ｘ線インタフェースボックス１０５から取得した情報に基づいて、作業状態が撮影準備完了の状態になったことを認識する。Ｓ１００２において、判定部２０１１は、通信状態が良好であるか否かを判定する。通信状態が良好であると判定された場合（Ｓ１００２；Ｙｅｓ）、Ｓ１００３へ進む。一方、通信状態が不良であると判定された場合（Ｓ１００２；Ｎｏ）、待機する。
【００６０】
Ｓ１００３において、制御部２０１０は、ドライブＩＣ２０３を駆動させることにより撮影装置１０１による撮影を開始する。Ｓ１００４において、制御部２０１０は、撮影された画像データ４０１を揮発性メモリ２０７１に格納する。
【００６１】
Ｓ１００５−Ｓ１０１４の各処理は図９のＳ９０１―Ｓ９０９、Ｓ９１１の各処理と同様であるため説明を省略する。
【００６２】
Ｓ１０１５において、判定部２０１１は、電子計算機１０２を操作したユーザからの撮影指示を受信したか否かに基づいて、次の撮影を行うか否かを判定する。次の撮影を行うと判定された場合（Ｓ１０１５；Ｙｅｓ）、Ｓ１００２に戻る。一方、次の撮影を行わないと判定された場合（Ｓ１０１５；Ｎｏ）、Ｓ１０１６へ進む。Ｓ１０１６において、制御部２０１０は、撮影装置１０１の電源をオフにする。以上で図１０のフローチャートの各処理が終了する。
【００６３】
以上説明したように、本実施形態では、撮影前に通信状態を検出し、通信状態が不良であることを検出した際には撮影を不可能とする。これにより、撮影後の画像データの転送をスムーズに行なうことが可能となり、消失のリスクも低減することが可能となる。また、撮影を継続するか否かを判定することで継続的な撮影を実施することができる。
【００６４】
[変形例]
第１乃至第４実施形態では、未転送の画像データがある場合等に撮影装置１０１の電源をオフにすることを不可能に制御する処理と、通信状態が不良である場合に発性メモリから不揮発性メモリに情報を転送する処理とを説明したが、これらの処理は個別に実施してもよいし、共に実施してもよい。
【００６５】
電源オフを不可にすることで、揮発性メモリ内の画像データの転送が未完である場合に揮発性メモリに対する電源供給が損なわれないため、画像データが消失するリスクを低減することができる。また、通信状態が不良である場合に発性メモリから不揮発性メモリに情報を転送することで、通信不良を操作者が撮影装置の故障だと判断して再起動を行うことによる画像データの消失リスクを低減することが可能である。また、通信状態が不良で電子計算機への画像データの転送が困難である場合に次の撮影を行いたい場合、不揮発性メモリに画像データを転送することで、揮発性メモリ内のデータの上書きによる画像データ消失のリスクを低減することも可能である。
【００６６】
共に実施する場合には、撮影装置から電子計算機へ画像データを転送する前段階と転送の途中段階との両方の段階で、画像データの消失を低減することが可能となり、より画像データを保護することができる。そのため、再撮影の可能性を低減し、患者に不要な放射線を照射することを抑制できる。
【００６７】
なお、通常時には、所定の指示（例えば、撮影装置に設けられた電源ボタンの押下に応じて生成されるコマンド、制御装置から受信される電源オフの指示コマンド）に応じて電源をオフする制御（揮発メモリに対する電力の供給を停止させる電力制御）を行い、未転送画像がある場合には、所定の指示があっても、当該制御は行わないように構成してもよい。
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６８】
２０６...通信部、２０１３...通信状態検出部、２０１１...判定部、２０１０...制御部、２０２１...電源、２０２２...電源制御部、２０７１...揮発性メモリ、２０７２...不揮発性メモリ
【図１】
2015198787.tif 000003
【図２】
2015198787.tif 000004
【図３】
2015198787.tif 000005
【図４Ａ】
2015198787.tif 000006
【図４Ｂ】
2015198787.tif 000007
【図５Ａ】
2015198787.tif 000008
【図５Ｂ】
2015198787.tif 000009
【図６】
2015198787.tif 000010
【図７Ａ】
2015198787.tif 000011
【図７Ｂ】
2015198787.tif 000012
【図８】
2015198787.tif 000013
【図９】
2015198787.tif 000014
【図１０】
2015198787.tif 000015